【手続補正書】
【提出日】平成27年10月20日(2015.10.20)
【手続補正１】
【補正対象書類名】特許請求の範囲
【補正対象項目名】全文
【補正方法】変更
【補正の内容】
【特許請求の範囲】
【請求項１】
印刷装置に供給する印刷材を収容するカートリッジの製造方法であって、
（ａ）カートリッジを準備する工程であって、前記印刷材を収容するための印刷材収容室と、前記印刷材収容室に収容される前記印刷材を前記印刷装置に供給するための第１と第２の印刷材供給部と、を備え、
前記印刷材収容室は、メイン収容室と、前記メイン収容室に収容される前記印刷材を分岐させて、前記第１と第２の印刷材供給部に前記印刷材を流通させるためのサブ収容室と、前記メイン収容室に収容される前記印刷材を前記サブ収容室に流通させる第１の流通口と、前記サブ収容室に収容される前記印刷材を前記第１の印刷材供給部に流通させる第２の流通口と、前記サブ収容室に収容される前記印刷材を前記第２の印刷材供給部に流通させる第３の流通口と、を有し、
前記サブ収容室は、前記第１の流通口が設けられた第１のサブ収容室と、前記第２の流通口が設けられた第２のサブ収容室と、前記第３の流通口が設けられた第３のサブ収容室と、を有し、さらに、
前記カートリッジの＋Ｙ軸方向側に配置された第１のフィルム部材であって、前記メイン収容室、前記第１のサブ収容室、および、前記第２のサブ収容室のそれぞれの＋Ｙ軸方向側の側面を形成する第１のフィルム部材と、
前記カートリッジの−Ｙ軸方向側に配置された第２のフィルム部材であって、前記第１のサブ収容室、および、前記第３のサブ収容室のそれぞれの−Ｙ軸方向側の側面を形成する第２のフィルム部材と、
前記第２のフィルム部材を覆うように設けられた蓋部材と、を備えるカートリッジを準備する工程と、
（ｂ）前記第２のフィルム部材の少なくとも一部を露出させる工程と、
（ｃ）前記工程（ｂ）の後に、前記第２のフィルム部材に穴を開けて前記サブ収容室から前記印刷材を注入して、前記印刷材収容室に前記印刷材を収容させる工程と、
（ｄ）前記（ｃ）の後に、前記穴を塞ぐ工程と、を備える、カートリッジの製造方法。
【請求項２】
請求項１に記載のカートリッジの製造方法であって、
前記工程（ａ）において準備する前記カートリッジは、
前記第１の流通口から前記第３のサブ収容室までの流路長が、前記第１の流通口から前記第２のサブ収容室までの流路長よりも長く、
前記工程（ｃ）において前記印刷材を注入する部分は、前記第３のサブ収容室内に位置する、カートリッジの製造方法。
【請求項３】
請求項１に記載のカートリッジの製造方法であって、
前記工程（ｃ）において前記印刷材を注入する部分は、前記第１のサブ収容室内に位置する、カートリッジの製造方法。
【請求項４】
請求項１から請求項３までのいずれか一項に記載のカートリッジの製造方法であって、
前記工程（ｂ）は、
前記第２のフィルム部材のうち露出した部分に弾性部材を接着する工程を含み、
前記工程（ｃ）における前記第２のフィルム部材の前記穴は、前記印刷材収容室に前記印刷材を注入するための注入器具を用いて、前記弾性部材と前記露出した部分を刺し通すことで形成され、
前記工程（ｄ）は、前記弾性部材及び前記露出した部分から前記注入器具を引き抜く工程である、カートリッジの製造方法。
【請求項５】
請求項１から請求項４までのいずれか一項に記載のカートリッジの製造方法であって、さらに、
（ｅ）前記工程（ｃ）において前記印刷材を注入する前に、前記第１の印刷材供給部の一端部に位置する第１の開口端と、前記第２の印刷材供給部の一端部に位置する第２の開口端とを塞ぐ工程を備える、カートリッジの製造方法。
【請求項６】
請求項１から請求項５までのいずれか一項に記載のカートリッジの製造方法であって、
前記工程（ａ）において準備する前記カートリッジは、さらに、
前記第１の印刷材供給部の内部と外部とを連通させる第１の連通路と、
前記第２の印刷材供給部の内部と外部とを連通させる第２の連通路と、を備え、
前記第１の連通路の一端側は、前記第１の印刷材供給部内に設けられている第１の内部路であり、
前記第２の連通路の一端側は、前記第２の印刷材供給部内に設けられている第２の内部路であり、さらに、
（ｆ）前記工程（ｃ）において前記印刷材を注入する前に、前記第１と第２の内部路を塞ぐ工程を有する、カートリッジの製造方法。
【請求項７】
請求項１から請求項６までのいずれか一項に記載のカートリッジの製造方法であって、さらに、
（ｇ）前記工程（ｃ）の後に、前記第１と第２の印刷材供給部を介して前記印刷材収容室に収容された前記印刷材を外部へと吸引する工程を有する、カートリッジの製造方法。
【請求項８】
印刷材を収容するための印刷材収容室と、前記印刷材収容室に収容される前記印刷材を印刷装置に供給するための第１と第２の印刷材供給部と、を備え、
前記印刷材収容室は、メイン収容室と、前記メイン収容室に収容される前記印刷材を分岐させて、前記第１と第２の印刷材供給部に前記印刷材を流通させるためのサブ収容室と、前記メイン収容室に収容される前記印刷材を前記サブ収容室に流通させる第１の流通口と、前記サブ収容室に収容される前記印刷材を前記第１の印刷材供給部に前記印刷材を流通させる第２の流通口と、前記サブ収容室に収容される前記印刷材を前記第２の印刷材供給部に前記印刷材を流通させる第３の流通口と、を有し、
前記サブ収容室は、前記第１の流通口が設けられた第１のサブ収容室と、前記第２の流通口が設けられた第２のサブ収容室と、前記第３の流通口が設けられた第３のサブ収容室と、を有し、さらに、
カートリッジの＋Ｙ軸方向側に配置された第１のフィルム部材であって、前記メイン収容室、前記第１のサブ収容室、および、前記第２のサブ収容室のそれぞれの＋Ｙ軸方向側の側面を形成する第１のフィルム部材と、
前記カートリッジの−Ｙ軸方向側に配置された第２のフィルム部材であって、前記第１のサブ収容室、および、前記第３のサブ収容室のそれぞれの−Ｙ軸方向側の側面を形成する第２のフィルム部材と、
前記第２のフィルム部材を覆うように設けられた蓋部材と、を備える前記カートリッジの前記印刷材収容室に前記印刷材を注入するための注入キットであって、
外部から前記印刷材収容室に前記印刷材を注入できる注入ユニットを備える、注入キット。
【請求項９】
請求項８に記載の注入キットであって、さらに、
前記第２のフィルム部材に接着するための弾性部材を有する、注入キット。
【請求項１０】
請求項８又は請求項９に記載の注入キットであって、さらに、
前記第１の印刷材供給部の一端部に位置する第１の開口端と、前記第２の印刷材供給部の一端部に位置する第２の開口端とを塞ぐための開口閉塞ユニットを有する、注入キット。
【請求項１１】
請求項８から請求項１０までのいずれか一項に記載の注入キットであって、さらに、
前記第１の印刷材供給部の内部に設けられ、前記第１の印刷材供給部の内部と外部とを連通させるための第１の内部路と、前記第２の印刷材供給部の内部に設けられ、前記第２の印刷材供給部の内部と外部とを連通させるための第２の内部路とを塞ぐための内部路閉塞ユニットを有する、注入キット。
【請求項１２】
請求項８から請求項１１までのいずれか一項に記載の注入キットであって、さらに、
前記第１と第２の印刷材供給部からそれぞれ前記印刷材を外部へと吸引するための吸引ユニットを有する、注入キット。
【請求項１３】
印刷材を収容するための印刷材収容室と、前記印刷材収容室に収容される前記印刷材を印刷装置に供給するための第１と第２の印刷材供給部と、を備え、
前記印刷材収容室は、メイン収容室と、前記メイン収容室に収容される前記印刷材を分岐させて、前記第１と第２の印刷材供給部に前記印刷材を流通させるためのサブ収容室と、前記メイン収容室に収容される前記印刷材を前記サブ収容室に流通させる第１の流通口と、前記サブ収容室に収容される前記印刷材を前記第１の印刷材供給部に前記印刷材を流通させる第２の流通口と、前記サブ収容室に収容される前記印刷材を前記第２の印刷材供給部に前記印刷材を流通させる第３の流通口と、を有し、
前記サブ収容室は、前記第１の流通口が設けられた第１のサブ収容室と、前記第２の流通口が設けられた第２のサブ収容室と、前記第３の流通口が設けられた第３のサブ収容室と、を有し、さらに、
カートリッジの＋Ｙ軸方向側に配置された第１のフィルム部材であって、前記メイン収容室、前記第１のサブ収容室、および、前記第２のサブ収容室のそれぞれの＋Ｙ軸方向側の側面を形成する第１のフィルム部材と、
前記カートリッジの−Ｙ軸方向側に配置された第２のフィルム部材であって、前記第１のサブ収容室、および、前記第３のサブ収容室のそれぞれの−Ｙ軸方向側の側面を形成する第２のフィルム部材と、
前記第２のフィルム部材を覆うように設けられた蓋部材と、を備える前記カートリッジの前記印刷材収容室に前記印刷材を注入するための注入装置であって、
外部から前記印刷材収容室に前記印刷材を注入できる注入ユニットを備える、注入装置。
【請求項１４】
請求項１３に記載の注入装置であって、さらに、
前記第２のフィルム部材に接着するための弾性部材を有する、注入装置。
【請求項１５】
請求項１３又は請求項１４に記載の注入装置であって、さらに、
前記第１の印刷材供給部の一端部に位置する第１の開口端と、前記第２の印刷材供給部の一端部に位置する第２の開口端とを塞ぐための開口閉塞ユニットを有する、注入装置。
【請求項１６】
請求項１３から請求項１５までのいずれか一項に記載の注入装置であって、さらに、
前記第１の印刷材供給部の内部に設けられ、前記第１の印刷材供給部の内部と外部とを連通させるための第１の内部路と、前記第２の印刷材供給部の内部に設けられ、前記第２の印刷材供給部の内部と外部とを連通させるための第２の内部路とを塞ぐための内部路閉塞ユニットを有する、注入装置。
【請求項１７】
請求項１３から請求項１６までのいずれか一項に記載の注入装置であって、さらに、
前記第１と第２の印刷材供給部からそれぞれ前記印刷材を外部へと吸引するための吸引ユニットを有する、注入装置。
【請求項１８】
請求項１から請求項７までのいずれか一項に記載の製造方法によって製造されたカートリッジ。
【手続補正２】
【補正対象書類名】明細書
【補正対象項目名】０００７
【補正方法】変更
【補正の内容】
【０００７】
（１）本発明の一形態によれば、印刷装置に供給する印刷材を収容するカートリッジの製造方法であって、（ａ）カートリッジを準備する工程であって、前記印刷材を収容するための印刷材収容室と、前記印刷材収容室に収容される前記印刷材を前記印刷装置に供給するための第１と第２の印刷材供給部と、を備え、前記印刷材収容室は、メイン収容室と、前記メイン収容室に収容される前記印刷材を分岐させて、前記第１と第２の印刷材供給部に前記印刷材を流通させるためのサブ収容室と、前記メイン収容室に収容される前記印刷材を前記サブ収容室に流通させる第１の流通口と、前記サブ収容室に収容される前記印刷材を前記第１の印刷材供給部に流通させる第２の流通口と、前記サブ収容室に収容される前記印刷材を前記第２の印刷材供給部に流通させる第３の流通口と、を有し、前記サブ収容室は、前記第１の流通口が設けられた第１のサブ収容室と、前記第２の流通口が設けられた第２のサブ収容室と、前記第３の流通口が設けられた第３のサブ収容室と、を有し、さらに、前記カートリッジの＋Ｙ軸方向側に配置された第１のフィルム部材であって、前記メイン収容室、前記第１のサブ収容室、および、前記第２のサブ収容室のそれぞれの＋Ｙ軸方向側の側面を形成する第１のフィルム部材と、前記カートリッジの−Ｙ軸方向側に配置された第２のフィルム部材であって、前記第１のサブ収容室、および、前記第３のサブ収容室のそれぞれの−Ｙ軸方向側の側面を形成する第２のフィルム部材と、前記第２のフィルム部材を覆うように設けられた蓋部材と、を備えるカートリッジを準備する工程と、（ｂ）前記第２のフィルム部材の少なくとも一部を露出させる工程と、（ｃ）前記工程（ｂ）の後に、前記第２のフィルム部材に穴を開けて前記サブ収容室から前記印刷材を注入して、前記印刷材収容室に前記印刷材を収容させる工程と、（ｄ）前記（ｃ）の後に、前記穴を塞ぐ工程と、を備える、カートリッジの製造方法が提供される。
ここで、第１のフィルム部材は、サブ収容室の一側面に加え、メイン収容室の一側面も形成している。よって、サブ収容室から印刷材を注入するために第１のフィルム部材に穴を開ける場合、誤って第１のフィルム部材のうちメイン収容室の一側面を形成する部分に穴を開けてしまう虞がある。しかしながら、本発明の一形態の製造方法によれば、第２のフィルム部材に穴を開けてサブ収容室から印刷材を注入することで、印刷材を注入する際に第２のフィルム部材とは反対側に位置する第１のフィルム部材に誤って穴を開けることを防止できる。これにより、第２のフィルム部材に確実に穴を開けることができるため、誤ってメイン収容室を形成する面に穴を開けることを防止できる。